(57)【要約】【課題】出入管理装置の利用状態及び／又はエアコン設備の利用環境における使用者の存在の有無に基づいてエアコン設備の作動を調整・制御する、エアコン設備調整・制御管理システムを提供する。【解決手段】主に出入管理装置及び／又は人体移動検出装置をエアコン調整・制御装置と互いに結合させ、出入管理装置及び／又は人体移動検出装置が検出したエアコン利用環境状態データをエアコン制御装置に提供する。エアコン制御装置はエアコン利用環境状態データに対応する予め設定された調整・制御パラメータに基づいてエアコン設備の調整及び制御を行う。これによって、エアコン設備を予め設定された利用状態に調整・制御し、エアコン設備のエネルギー管理という目的を達成できる。【選択図】図１
2009030956.tif 000002
【特許請求の範囲】
【請求項１】
エアコン設備を調整・制御するためのエアコン設備調整・制御管理システムであって、
ドア及び／又は窓の利用状態を検出し、前記ドア及び／又は窓の開閉時間を計算するための計時ユニットを有し、前記ドア及び／又は窓の開閉状態と開閉時間を含むエアコン利用環境状態データを検出された開閉状態に基づいて生成する出入管理装置と、
異なるエアコン利用環境状態データに対応する予め設定された調整・制御パラメータが蓄積された蓄積モジュールを含み、前記出入管理装置が生成したエアコン利用環境状態データに対応する予め設定された調整・制御パラメータに基づいて前記エアコン設備の調整・制御を行うエアコン制御装置と、
を備えることを特徴とするエアコン設備調整・制御管理システム。
【請求項２】
前記の予め設定された調整・制御パラメータは、
計時ユニットによって前記ドア及び／又は窓の開放時間が第１の予め設定された時間の長さに達したことが検出された場合、前記エアコン設備の環境温度を、対応する予め設定された温度値まで高めるための第１調整・制御パラメータと、
計時ユニットによって前記ドア及び／又は窓の開放時間が第２の予め設定された時間の長さに達したことが検出された場合、前記エアコン設備の作動をオフにするための第２調整・制御パラメータと、
前記第１調整・制御パラメータと前記第２調整・制御パラメータを解除し、前記ドア及び／又は窓が開いている場合、前記の予め設定された温度値に調整せず前記エアコン設備の作動を維持することを許可するための第３調整・制御パラメータと、
を含むことを特徴とする請求項１に記載のエアコン設備調整・制御管理システム。
【請求項３】
前記ドア及び／又は窓が開いている場合、アラームメッセージを生成して前記エアコン制御装置に伝送するアラームモジュールを更に備えていることを特徴とする請求項１に記載のエアコン設備調整・制御管理システム。
【請求項４】
前記エアコン設備は、冷暖房機、エア・ハンドリング・ユニット、プレクーリング・エア・ハンドラー、送風機の少なくとも１つを含んで構成されていることを特徴とする請求項１に記載のエアコン設備調整・制御管理システム。
【請求項５】
前記出入管理装置は、単方向赤外線検出ユニット、双方向赤外線検出ユニット、電磁スイッチ、超音波センサユニット、電波方式認識（ＲＦＩＤ）ユニットの少なくとも１つを用いて前記ドア及び／又は窓の開閉状態を検出することを特徴とする請求項１に記載のエアコン設備調整・制御管理システム。
【請求項６】
エアコン設備を調整・制御するためのエアコン設備調整・制御管理システムであって、
前記エアコン設備の利用環境において人の存在の有無を検出し、検出された利用状態に基づいてエアコン利用環境状態データを生成する人体移動検出装置と、
異なるエアコン利用環境状態データに対応する予め設定された調整・制御パラメータが蓄積された蓄積モジュールを含み、前記人体移動検出装置が生成したエアコン利用環境状態データに対応する予め設定された調整・制御パラメータに基づいて前記エアコン設備の調整・制御を行うエアコン制御装置と、
を備えることを特徴とするエアコン設備調整・制御管理システム。
【請求項７】
前記人体移動検出装置は計時ユニットを有し、
前記の予め設定された調整・制御パラメータは、
前記エアコン設備の利用環境において人がいる場合、前記エアコン設備の作動をオンにするための第４調整・制御パラメータと、
前記エアコン設備の利用環境において人がいない場合、前記エアコン設備の作動をオフにするための第５調整・制御パラメータと、
前記エアコン設備の利用環境において人がおらず、しかも、人がいない状態が予め設定された時間の長さに達したことが前記計時ユニットによって検出された場合、前記エアコン設備の作動をオフにするための第６調整・制御パラメータと、
を含むことを特徴とする請求項６に記載のエアコン設備調整・制御管理システム。
【請求項８】
前記エアコン設備は、冷暖房機、エア・ハンドリング・ユニット、プレクーリング・エア・ハンドラー、送風機の少なくとも１つを含んで構成されていることを特徴とする請求項６に記載のエアコン設備調整・制御管理システム。
【請求項９】
前記人体移動検出装置は、赤外線温度検知ユニット、画像取得認識ユニット、オーディオ検出ユニットの少なくとも１つを用いて、前記エアコン設備の利用環境において人がいるか否かを判断することを特徴とする請求項６に記載のエアコン設備調整・制御管理システム。
【請求項１０】
エアコン設備を調整・制御するためのエアコン設備調整・制御管理システムであって、
ドア及び／又は窓の利用状態を検出し、前記ドア及び／又は窓の開閉時間を計算するための計時ユニットを有し、前記ドア及び／又は窓の開閉状態と開閉時間を含むエアコン利用環境状態データを検出された開閉状態に基づいて生成する出入管理装置と、
前記エアコン設備の利用環境において人の存在の有無を検出し、検出された利用状態に基づいてエアコン利用環境状態データを生成する人体移動検出装置と、
異なるエアコン利用環境状態データに対応する予め設定された調整・制御パラメータが蓄積された蓄積モジュールを含み、前記出入管理装置及び／又は人体移動検出装置が生成したエアコン利用環境状態データに対応する前記予め設定された調整・制御パラメータに基づいて前記エアコン設備の調整・制御を行うエアコン制御装置と、
を備えることを特徴とするエアコン設備調整・制御管理システム。
【請求項１１】
前記の予め設定された調整・制御パラメータは、
前記計時ユニットによって前記ドア及び／又は窓の開放時間が第１の予め設定された時間の長さに達したことが検出された場合、前記エアコン設備の環境温度を対応する予め設定された温度値まで高めるための第１調整・制御パラメータと、
前記計時ユニットによって前記ドア及び／又は窓の開放時間が第２の予め設定された時間の長さに達したことが検出された場合、前記エアコン設備の作動をオフにするための第２調整・制御パラメータと、
前記第１調整・制御パラメータと前記第２調整・制御パラメータを解除し、前記ドア及び／又は窓が開いている場合、前記の予め設定された温度値に調整せず前記エアコン設備の作動を維持することを許可するための第３調整・制御パラメータと、を含む、
ことを特徴とする請求項１０に記載のエアコン設備調整・制御管理システム。
【請求項１２】
前記人体移動検出装置はまた、計時ユニットを有し、
前記の予め設定された調整・制御パラメータは、
前記エアコン設備の利用環境において人がいる場合、前記エアコン設備の作動をオンにするための第４調整・制御パラメータと、
前記エアコン設備の利用環境において人がいない場合、前記エアコン設備の作動をオフにするための第５調整・制御パラメータと、
前記エアコン設備の利用環境において人がおらず、しかも、人がいない状態が第３の予め設定された時間の長さに達したことが前記人体移動検出装置の計時ユニットによって検出された場合、前記エアコン設備の作動をオフとするための第６調整・制御パラメータと、を含む、
ことを特徴とする請求項１０に記載のエアコン設備調整・制御管理システム。
【請求項１３】
前記ドア及び／又は窓が開いている場合、アラームメッセージを生成して前記エアコン制御装置に伝送するアラームモジュールを更に備えていることを特徴とする請求項１０に記載のエアコン設備調整・制御管理システム。
【請求項１４】
前記エアコン設備は、冷暖房機、エア・ハンドリング・ユニット、プレクーリング・エア・ハンドラー、送風機の少なくとも１つを含んで構成されていることを特徴とする請求項１０に記載のエアコン設備調整・制御管理システム。
【請求項１５】
前記出入管理装置は、単方向赤外線検出ユニット、双方向赤外線検出ユニット、電磁スイッチ、超音波センサユニット、電波方式認識（ＲＦＩＤ）ユニットの少なくとも１つを用いて前記ドア及び／又は窓の開閉状態を検出することを特徴とする請求項１０に記載のエアコン設備調整・制御管理システム。
【請求項１６】
前記人体移動検出装置は、赤外線温度検知ユニット、画像取得認識ユニット、オーディオ検出ユニットの少なくとも１つを用いて、前記エアコン設備の利用環境において人がいるか否かを判断することを特徴とする請求項１０に記載のエアコン設備調整・制御管理システム。
【発明の詳細な説明】
【技術分野】
【０００１】
本発明は、エアコン設備技術に関し、更に詳しく言えば、出入管理装置及び／又は人体移動検出装置を結合したエアコン設備調整・制御管理システムに関するものである。
【背景技術】
【０００２】
エアコン設備は、各種建築物の内部、特に大型の営業場所（例えば、ビジネス・ビルディング、工場ビルディング、ホテル、病院、コンビニ、スーパーマーケット、量販店、デパート）に広汎に応用され取り付けられている機電設備である。現在のエアコン設備は、通常、冷暖房機、エア・ハンドリング・ユニット（Ａｉｒ  Ｈａｎｄｌｉｎｇ  Ｕｎｉｔ，ＡＨＵ）、プレクーリング・エア・ハンドラー（Ｐｒｅｃｏｏｌｉｎｇ  Ａｉｒ  Ｈａｎｄｌｅｒ，ＰＡＨ）、送風機（Ｆａｎ  Ｃｏｉｌ  Ｕｎｉｔ，ＦＣＵ）を含んで構成されている。基本的に、エアコン設備は、密閉された室内空間の空気を快適な温度に調整するとともに適切に室外空気を取り入れることで、人が二酸化炭素濃度の上昇によって感じる不快感を抑える機能を持つ。
【０００３】
エアコン設備は通常、長時間、ひいては２４時間作動しなければならない。消費されるエネルギー（電気エネルギー）は、利用空間の大きさ、温度、日光が直射するか否か、そこにいる人の人数といった環境要素の他、通常どのように使用されるかといったことからも大きな影響を受ける。
【０００４】
例えば、台湾経済部能源局が２００７年６月５日付で公表したプレスリリースによると、台北、台中、台南、花蓮、高雄の五都市にある計１１７７軒の商店のエアコン利用状況を調べた結果、エアカーテン及び自動ドアを設けている商店が２２％、自動ドアのみが１９％、エアカーテンのみが２１％、表玄関を完全に開けている商店が３８％を占めた。そして、１５坪の商店の場合、自動ドアを取り付けると５２％のエアコン消費電力を節約でき、毎年夏は１万元（ＮＴ＄１０,０００）の電気代を省くことができると記載されている。
【０００５】
一方、エアコン設備の温度設定は習慣的なものであり、前記能源局の統計によると、温度を１度高く設定するごとに、６％の消費電力を節約できると述べられている。
【０００６】
上記のように、エアコン設備利用環境における出入管理の制御と環境温度の高めの設定を個々に行うことで消費電力を低減し、エネルギーを節約することはもちろん可能である。しかし出入管理状態と環境温度の設定との間に相互の関連性を有するのも事実である。
【０００７】
あるエアコン設備の利用環境に、出入管理装置が設けられているとする。これは具体的には、人が出入する自動ドアや換気窓が設けられているということである。通常、出入管理装置が閉められていない原因は、閉めるのを忘れた、閉めたがしっかり閉めていない、或いはわざと開けた、等である。従来のエアコン設備では、利用環境の温度を設定された範囲内に制御するために、出入管理装置を開けたことで室外の熱い空気を室内に取り入れる。この場合、環境温度を前記の予め設定された範囲内に制御するため、風量及び／又は圧縮機の作動効率を高めなければならない。もちろんそうすることで、さらに多くのエネルギーの消費を招いてしまう。
【０００８】
実際、前記出入管理装置が閉められていない原因は、使用者の不注意の他、温度を低すぎると感じて室外の熱い空気を室内に取り入れなければならなくなったことにあるかもしれない。しかし、従来のエアコン設備の調整・制御システムでは、予め設定された温度に基づいてエアコン調整・制御作業を設定・実行されるのみで、逆にエネルギーの消費をもたらしてしまっていた。
【０００９】
又、エアコン設備を共同で利用する環境、例えば、ビジネス・ビルディングや学校の教室等では、使用者がそこを離れたり誰も使っていない場合でも、エアコン設備は依然として作動し続ける。この場合も無駄にエネルギーを消費することになる。その原因は、使用者が消し忘れた、暫くしたら戻って来ると思ったまま戻らなかった、最後に離れた使用者が消し忘れた、自分が最後にそこを離れる人間だと知らなかった、又は使用者がどのようにエアコン設備をオフにするか分からない、等が考えられる。
【００１０】
上記の種々の使用状況について、出入管理装置の利用状態及び／又はエアコン設備の利用環境において使用者の存在の有無に基づいて、エアコン設備を調整・制御する解決手段が強く求められる。
【発明の開示】
【発明が解決しようとする課題】
【００１１】
前述した従来技術のさまざまな欠点を解決するために、本発明は出入管理装置の利用状態に基づいてエアコン設備の作動を調整・制御するエアコン設備調整・制御管理システムを提供する。
【００１２】
また、本発明は、エアコン設備の利用環境における使用者の存在の有無に基づいてエアコン設備の作動を調整・制御するエアコン設備調整・制御管理システムを提供する。
【００１３】
更に、本発明は、出入管理装置の利用状態及び／又はエアコン設備の利用環境において使用者の存在の有無に基づいて、エアコン設備の作動を調整・制御するエアコン設備調整・制御管理システムを提供する。
【課題を解決するための手段】
【００１４】
上記の目的を達成するために、本発明に係るエアコン設備調整・制御管理システムは、エアコン設備を調整・制御するためのエアコン設備調整・制御管理システムを含み、それはドア及び／又は窓の利用状態を検出し、前記ドア及び／又は窓の開閉時間を計算するための計時ユニットを有し、前記ドア及び／又は窓の開閉状態と開閉時間を含むエアコン利用環境状態データを検出された開閉状態に基づいて生成する出入管理装置と、異なるエアコン利用環境状態データに対応する予め設定された調整・制御パラメータが蓄積された蓄積モジュールを含み、前記出入管理装置が生成したエアコン利用環境状態データに対応する予め設定された調整・制御パラメータに基づいて前記エアコン設備の調整・制御を行うエアコン制御装置と、を備える。
【００１５】
また、他の形態において、本発明のエアコン設備調整・制御管理システムは、エアコン設備を調整・制御するためのエアコン設備調整・制御管理システムであって、前記エアコン設備の利用環境において人の存在の有無を検出し、検出された利用状態に基づいてエアコン利用環境状態データを生成する人体移動検出装置と、異なるエアコン利用環境状態データに対応する予め設定された調整・制御パラメータが蓄積された蓄積モジュールを含み、前記人体移動検出装置が生成したエアコン利用環境状態データに対応する予め設定された調整・制御パラメータに基づいて前記エアコン設備の調整・制御を行うエアコン制御装置と、を備える。
【００１６】
また、他の形態において、本発明のエアコン設備調整・制御管理システムは、エアコン設備を調整・制御するためのエアコン設備調整・制御管理システムであって、ドア及び／又は窓の利用状態を検出し、前記ドア及び／又は窓の開閉時間を計算するための計時ユニットを有し、前記ドア及び／又は窓の開閉状態と開閉時間を含むエアコン利用環境状態データを検出された開閉状態に基づいて生成する出入管理装置と、前記エアコン設備の利用環境において人の存在の有無を検出し、検出された利用状態に基づいてエアコン利用環境状態データを生成する人体移動検出装置と、異なるエアコン利用環境状態データに対応する予め設定された調整・制御パラメータが蓄積された蓄積モジュールを含み、前記出入管理装置及び／又は人体移動検出装置が生成したエアコン利用環境状態データに対応する前記予め設定された調整・制御パラメータに基づいて前記エアコン設備の調整・制御を行うエアコン制御装置と、を備える。
【００１７】
従来のエアコン設備の調整・制御管理技術に比して、本発明のエアコン設備調整・制御管理システムは、出入管理装置及び／又は人体移動検出装置をエアコン調整・制御装置と互いに結合させ、出入管理装置及び／又は人体移動検出装置が検出したエアコン利用環境状態データをエアコン制御装置に提供することにより、前記エアコン制御装置をエアコン利用環境状態データに対応する予め設定された調整・制御パラメータに基づいてエアコン設備の調整及び制御を行うエアコン設備調整・制御管理システムを提供する。これによって、エアコン設備を予め設定された利用状態に調整・制御し、エアコン設備のエネルギー管理という目的を達成できる。
【発明を実施するための最良の形態】
【００１８】
以下、特定の具体的な実施形態により本発明の実施形態を説明し、本明細書に開示されている内容から本発明の他のメリット及び効果が当業者に容易に理解されるようにした。本発明はまた、他の異なる具体的な実施形態により実施又は応用でき、又、本明細書に記載の詳細は異なる観点と応用に基づき、本発明の精神を逸脱しない範囲で種々の修飾及び変更を行うことができる。
【００１９】
第１実施形態
図１は、本発明に係るエアコン設備調整・制御管理システムの第１実施形態の応用構造を模式的に示した図である。本実施形態において、本発明のエアコン設備調整・制御管理システム１０は、各種建築物の内部、特に大型の営業場所（例えば、ビジネス・ビルディング、工場ビルディング、ホテル、病院、コンビニ、スーパーマーケット、量販店、デパート）のエアコン設備１００を調整・制御するものである。また、エアコン設備１００は、冷暖房機１００１、エア・ハンドリング・ユニット１００２、プレクーリング・エア・ハンドラー１００３、送風機１００４を含んで構成されている。
【００２０】
エアコン設備１００は、前記冷暖房機１００１、エア・ハンドリング・ユニット１００２、プレクーリング・エア・ハンドラー１００３、送風機１００４の組み合わせに限らず、それらの一部又は部分的な組み合わせであってもよい。
【００２１】
本発明のエアコン設備調整・制御管理システム１０は、出入管理装置１０２、エアコン制御装置１０４、及びアラームモジュール１０６を含む。
【００２２】
出入管理装置１０２は、ドア２０及び窓２１の利用状態を検出し、ドア２０及び窓２１の開閉時間を計算するための計時ユニット１０２２を有し、検出された開閉状態に基づいてエアコン利用環境状態データが生成される。前記エアコン利用環境状態データはドア２０及び窓２１の開閉状態と開閉時間を含む。
【００２３】
具体的には、本実施形態において、出入管理装置１０２は、ドア２０及び窓２１の利用状態を集中的に検出するものとし、１個以上のドア２０及び窓２１の利用状態を集中的に検出する。また、出入管理装置１０２は、各ドア２０及び窓２１に設けられた単方向(片方向)赤外線検出ユニット、双方向赤外線検出ユニット、電磁スイッチ、超音波センサユニット及び／又は電波方式認識（ＲＦＩＤ）ユニットを備え、前記のうち少なくとも１つのユニットによりドア２０及び窓２１の開閉状態を検出する。
【００２４】
エアコン制御装置１０４は、異なるエアコン利用環境状態データに対応する予め設定された調整・制御パラメータが蓄積された蓄積モジュール１０４２を含み、前記出入管理装置１０２が生成したエアコン利用環境状態データに対応する予め設定された調整・制御パラメータに基づいてエアコン設備１００の調整・制御を行う。
【００２５】
本実施形態において、予め設定された調整・制御パラメータは下記の内容を含む。
【００２６】
第１調整・制御パラメータは、ドア２０及び窓２１の開放時間が第１の予め設定された時間の長さに達したことが計時ユニット１０２２によって検出されると、エアコン設備１００の環境温度を対応する予め設定された温度値まで高める。例えば、第１の予め設定された時間の長さが５分間だとする。ドア２０又は窓２１の開放時間が５分間に達したことが計時ユニット１０２２によって検出されると、予め設定された温度値を１度高め、５分経った後、再度予め設定された温度値を１度高める。
【００２７】
第２調整・制御パラメータは、ドア２０又は窓２１の開放時間が第２の予め設定された時間の長さに達したことが計時ユニット１０２２によって検出されると、エアコン設備１００の作動をオフにする。例えば、第２の予め設定された時間の長さが３０分間だとする。ドア２０又は窓２１の開放時間が３０分間に達したことが計時ユニット１０２２によって検出されると、エアコン設備１００の作動をオフにする。
【００２８】
第３調整・制御パラメータは、前記第１調整・制御パラメータと前記第２調整・制御パラメータを解除し、ドア２０及び／又は窓２１が開いている場合、予め設定された温度値に調整せずエアコン設備１００の作動を維持することを許可する。即ち、ドア２０及び／又は窓２１が開いている場合、利用環境の温度をその時に設定した温度値に合わせるように、エアコン設備１００をその時に設定した温度値に準じて作動させる。
【００２９】
高めた後の予め設定された温度値に合わせるため、エアコン設備は、冷暖房機１００１又はエア・ハンドリング・ユニット１００２の温度を上げたり、冷暖房機１００１又はエア・ハンドリング・ユニット１００２の作動を暫くオフにすることにより、高めた後の予め設定された温度値に達するまで作動させ、送風機１００４をオンにして室外の空気を取り込み、高めた後の予め設定された温度値を基に、利用環境の実際の温度によりプレクーリング・エア・ハンドラー１００３と組み合わせるか否かを決定し、利用環境の温度を調整して高めた後の予め設定された温度値に合わせる。
【００３０】
アラームモジュール１０６は、ドア２０及び／又は窓２１が開いている場合、エアコン制御装置１０４にアラームメッセージを生成して伝送する。本実施形態において、更にアラームモジュール１０６と組み合わせ、ドア２０及び／又は窓２１が開いている場合、エアコン制御装置１０４にアラームメッセージを生成して伝送し、管理者にドア２０及び／又は窓２１の開閉状態が正常であるか否かを通報する。
【００３１】
第２実施形態
図２は本発明に係るエアコン設備調整・制御管理システムの第２実施形態の応用構造を模式的に示した図である。本実施形態において、エアコン設備１００は第１実施形態と同様のものである。本発明のエアコン設備調整・制御管理システム１０は、人体移動検出装置１０３、及びエアコン制御装置１０４を含む。
【００３２】
人体移動検出装置１０３は、エアコン設備１００の利用環境において人の存在の有無を検出し、検出された利用状態に基づいてエアコン利用環境状態データを生成する。本実施形態において、人体移動検出装置１０３は計時ユニット１０３２を備える。また、人体移動検出装置１０３は、赤外線温度検知ユニット、画像取得認識ユニット、オーディオ検出ユニットの少なくとも１つを用いて前記エアコン設備の利用環境において人がいるか否かを判断する。
【００３３】
エアコン制御装置１０４は、異なるエアコン利用環境状態データに対応する予め設定された調整・制御パラメータが蓄積された蓄積モジュール１０４４を含み、人体移動検出装置１０３が生成したエアコン利用環境状態データに対応する予め設定された調整・制御パラメータに基づいてエアコン設備１００の調整・制御を行う。
【００３４】
本実施形態において、予め設定された調整・制御パラメータは下記の内容を含む。
【００３５】
第４調整・制御パラメータは、エアコン設備１００の利用環境において人がいる場合、エアコン設備１００の作動をオンにする。
【００３６】
第５調整・制御パラメータは、エアコン設備１００の利用環境において人がいない場合、エアコン設備１００の作動をオフにする。
【００３７】
第６調整・制御パラメータは、エアコン設備１００の利用環境において人がおらず、しかも、人がいない状態が第３の予め設定された時間の長さに達したことが前記計時ユニット１０３２によって検出された場合、エアコン設備１００の作動をオフにする。
【００３８】
第３実施形態
図３は本発明に係るエアコン設備調整・制御管理システムの第３実施形態の応用構造を模式的に示した図である。本実施形態において、エアコン設備１００は第１実施形態及び第２実施形態と同様のものである。本発明のエアコン設備調整・制御管理システム１０は、出入管理装置１０２と、人体移動検出装置１０３と、エアコン制御装置１０４と、アラームモジュール１０６とを含む。
【００３９】
また、出入管理装置１０２、人体移動検出装置１０３、及びアラームモジュール１０６は、第１実施形態及び第２実施形態と同様のものであるため、ここで詳しく述べることはしない。
【００４０】
エアコン制御装置１０４は、異なるエアコン利用環境状態データに対応する予め設定された調整・制御パラメータが蓄積された蓄積モジュール１０４６を含み、出入管理装置１０２及び／又は人体移動検出装置１０３が生成したエアコン利用環境状態データに対応する予め設定された調整・制御パラメータに基づいてエアコン設備１００の調整・制御を行う。
【００４１】
本実施形態において、予め設定された調整・制御パラメータは、前記第１及び第２実施形態における第１から第６の調整・制御パラメータを含み、且つ、第１から第６の調整・制御パラメータの間に、共通集合、和集合及び／又は差集合の関係を有し、使用者又は使用環境の需要により設定を変更することができる。
【００４２】
要するに、本発明は、出入管理装置及び／又は人体移動検出装置をエアコン調整・制御装置と互いに結合させ、出入管理装置及び／又は人体移動検出装置が検出したエアコン利用環境状態データをエアコン制御装置に提供することにより、前記エアコン制御装置をエアコン利用環境状態データに対応する予め設定された調整・制御パラメータに基づいてエアコン設備の調整及び制御を行うエアコン設備調整・制御管理システムを提供する。これによって、エアコン設備を予め設定された利用状態に調整・制御し、エアコン設備のエネルギー管理という目的を達成できる。
【００４３】
上記の実施形態は、本発明の原理及びその効果を例示的に説明しただけであり、本発明を限定するものではない。本発明の精神や範囲を逸脱しない限り、当業者は前記実施形態に対して修飾や変更を行なうことができる。
【図面の簡単な説明】
【００４４】
【図１】本発明に係るエアコン設備調整・制御管理システムの第１実施形態の応用構造を模式的に示した図である。
【図２】本発明に係るエアコン設備調整・制御管理システムの第２実施形態の応用構造を模式的に示した図である。
【図３】本発明に係るエアコン設備調整・制御管理システムの第３実施形態の応用構造を模式的に示した図である。
【符号の説明】
【００４５】
１０  エアコン設備調整・制御管理システム
１００  エアコン設備
１００１  冷暖房機
１００２  エア・ハンドリング・ユニット
１００３  プレクーリング・エア・ハンドラー
１００４  送風機
１０２  出入管理装置
１０２２  計時ユニット
１０３  人体移動検出装置
１０３２  計時ユニット
１０４  エアコン制御装置
１０４２、１０４４、１０４６  蓄積モジュール
１０６  アラームモジュール
２０  ドア
２１  窓
【図１】
2009030956.tif 000003
【図２】
2009030956.tif 000004
【図３】
2009030956.tif 000005